(57)【要約】【課題】本発明の目的は、受信能力を増強するために、傾斜した内蔵式アンテナを備える無線送信装置を提供することである。【解決手段】本発明の無線送信装置は、コネクタを備える第１の回路基板を備えている。また、本発明の無線送信装置は、第１の端部と、第２の端部と、前記第１の端部と前記第２の端部との間に位置している屈曲部とを備える第２の回路基板を更に備えている。第２の回路基板は、剛性を有し、第１の端部が、アンテナを備え、第２の端部が、第１の回路基板に電気的に接続され、屈曲部は、第１の端部を、第１の回路基板に対して所定の固定された鋭角度だけ傾けて配置するようになっている。【選択図】  図９
2010193523.tif 000002
【特許請求の範囲】
【請求項１】
コネクタを備える第１の回路基板と、
第１の端部と、第２の端部と、前記第１の端部と前記第２の端部との間に位置している屈曲部とを備える第２の回路基板とを含み、
前記第２の回路基板は、剛性を有し、前記第１の端部が、アンテナを備え、前記第２の端部が、前記第１の回路基板に電気的に接続され、前記屈曲部は、前記第１の端部を、前記第１の回路基板に対して所定の鋭角度だけ傾けて固定した状態で配置するものである、
無線送信装置。
【請求項２】
前記コネクタは、ユニバーサル・シリアル・バス（ＵＳＢ）コネクタ、パーソナル・システム／２（ＰＳ／２）コネクタ、又は、赤外線（ＩＲ）コネクタである、請求項１に記載の無線送信装置。
【請求項３】
前記所定の鋭角度は、実質的に２０度である、請求項１に記載の無線送信装置。
【請求項４】
前記アンテナは、銅箔から構成されている、請求項１に記載の無線送信装置。
【請求項５】
前記第１の回路基板が、少なくとも１つの無線受信モジュール及びミクロ制御チップを更に備えている、請求項１に記載の無線送信装置。
【請求項６】
前記第１の回路基板と前記第２の回路基板との両方を収容する単一の内側空間を形成するような外側筐体をさらに含む、請求項１に記載の無線送信装置。
【請求項７】
前記コネクタは、前記第１の回路基板にはんだ付けされている、請求項１に記載の無線送信装置。
【請求項８】
前記第２の回路基板が、少なくとも１つの無線受信モジュール及びミクロ制御チップを更に備えている、請求項１に記載の無線送信装置。
【請求項９】
前記第２の回路基板の前記第２の端部が、前記第１の回路基板に直接はんだ付けされている、請求項１に記載の無線送信装置。
【請求項１０】
前記第２の回路基板が、前記第１の回路基板に対して回転しないように接続されている、請求項１に記載の無線送信装置。
【請求項１１】
前記第２の回路基板の前記第２の端部が、前記第１の回路基板に対して実質的に平行に配置されている、請求項１に記載の無線送信装置。
【請求項１２】
固定された傾斜部と第１の結合部とを含む第１の回路基板であって、該第１の回路基板は、剛性を有し、前記傾斜部と前記第１の結合部との間の内角が、鈍角に設定されている、第１の回路基板と、
前記第１の回路基板の前記傾斜部上に取付けられたアンテナであって、該アンテナが、前記第１の回路基板の前記第１の結合部に電気的に接続されている、アンテナと、
接続部と第２の結合部とを含む第２の回路基板と、
前記第２の回路基板の前記接続部に接続されたコネクタであって、該コネクタが、前記第２の結合部に電気的に接続されている、コネクタと、
前記アンテナと前記コネクタとの間に電気的な接続を提供するために、前記第１の結合部と前記第２の結合部とを電気的に結合するための手段と
を備えている無線送信装置。
【請求項１３】
前記第２の結合部が、前記第１の結合部と実質的に平行に配置されている、請求項１２の無線送信装置。
【請求項１４】
内部空間を画定するように構成された筐体をさらに備え、該筐体は、前記第１の回路基板と前記第２の回路基板とを前記内部空間に配置するものである、請求項１２に記載の無線送信装置。
【請求項１５】
前記第１の回路基板は、前記傾斜部と前記第１の結合部との間に位置している屈曲部を更に備えている、請求項１２に記載の無線送信装置。
【請求項１６】
前記第１の結合部は、実質的に水平面に沿って延在している、請求項１２に記載の無線送信装置。
【請求項１７】
前記第２の回路基板と前記第１の回路基板とは、前記傾斜部と前記第２の結合部との間が所定の鋭角度をなすように配置されている、請求項１２に記載の無線送信装置。
【請求項１８】
第２の回路基板に電気的に接続された第１の回路基板であって、該第１の回路基板は、コネクタを備え、前記第２の回路基板は、剛性を有し、前記第２の回路基板は、前記第１の回路基板に対して所定の固定された鋭角度だけ傾けて配置された傾斜部を備える、第１の回路基板と、
前記傾斜部上に取付けられたアンテナとを備え、
前記傾斜部は、前記アンテナを、前記第１の回路基板に対して所定の鋭角度だけ傾けて固定した状態で配置するものである、無線送信装置。
【請求項１９】
前記第１の回路基板は、実質的に水平面に沿って延在している、請求項１８に記載の無線送信装置。
【請求項２０】
内部空間を画定するように構成された筐体をさらに備え、該筐体は、前記第１の回路基板と前記第２の回路基板とを前記内部空間に配置するものである、請求項１８に記載の無線送信装置。
【発明の詳細な説明】
【技術分野】
【０００１】
本発明は無線送信装置に関し、より詳細には、受信能力を増強するために、傾斜した内蔵式アンテナを備えた無線送信装置に関する。この無線送信装置は、装置の形態の変化を容易に行えるため、ＵＳＢコネクタに直接的に接続することができる。
【背景技術】
【０００２】
図１を参照すると、従来の無線送信装置１０内のＵＳＢコネクタ１０５及びアンテナ１０４が、プリント回路基板１０１上に設けられ、コントローラ、無線送受信モジュール等のような他の種類の複数の電子素子１０２も、同一のプリント回路基板１０１上に設けられている。
無線送信装置１０のアンテナ１０４は、プリント回路基板１０１の表面上に覆われた銅箔を直接的にエッチング処理することによって加工される。ＵＳＢコネクタ１０５は、プリント回路基板１０１上に直接的にはんだ付けされる。全ての電子素子１０２及びプリント回路基板１０１は、筐体１０９外部に露出されるＵＳＢコネクタ１０５の一部を除き、筐体１０９内部に収容される。電子素子１０２及びアンテナ１０４をその同一水平面上に固着するプリント回路基板１０１がモノリシック構造を採用することの故に、並びに、ＵＳＢコネクタ１０５もプリント回路基板１０１上に固着されることの故に、従来的な無線送信装置１０の形態は、単にバー構造又は平面構造を提示し、外観の変化を殆ど示さない。
【０００３】
発明の名称を「内蔵式端子ハブを備える無線通信機器」とする特許文献１は、全ての電子素子及びアンテナが同一の水平面上にあり、前記無線送信装置１０の構造と同様のものである。よって、特許文献１においては、無線送信装置の受信能力が制限され、且つ、無線送信装置の外観の形態も制限される。
【先行技術文献】
【特許文献】
【０００４】
【特許文献１】米国特許出願公開第２００２／００９４７７９号
【発明の概要】
【発明が解決しようとする課題】
【０００５】
従来的な無線送信装置の欠点に鑑み、本発明の発明者は、受信能力を増強する傾斜した内蔵式アンテナを備え、且つ、容易に変更し得る外観の形態を備える無線送信装置を創成するような改良を行った。
【０００６】
本発明の主たる目的は、受信能力を増強するために、傾斜した内蔵式アンテナを備える無線送信装置を提供することである。この無線送信装置は、ＵＳＢ接続性を備えたコンピュータ又は他の電子機器と接続するために、無線送信装置の外観の形態を容易に変更し得るよう、別個の回路板上にＵＳＢコネクタを配置している。
【課題を解決するための手段】
【０００７】
前記目的を達成するために、本発明の１つの特徴は、第１回路基板及び第２回路基板を含む無線送信装置を提供する。第１回路基板は、コネクタと、１つ以上の電子素子とを少なくとも備える。第２回路基板は、第１回路基板に対して所定角度で配置され、第２回路基板上に形成された１つのアンテナを少なくとも有する。アンテナは第１回路基板と電気的に接続される。
【０００８】
本発明の別の態様において、無線送信装置は、コネクタと、アンテナと、第１回路基板と、第２回路基板とを備える。第１回路基板は、１つ以上の電子素子を配置し、且つ、前記コネクタ又は前記アンテナを配置している。第２回路基板は、第１回路基板に接続され、且つ、コネクタ又はアンテナを配置している。コネクタ又はアンテナは、第１回路基板に電気的に接続されている。第１回路基板がコネクタを配置するとき、第２回路基板はアンテナを配置し、第１回路基板がアンテナを配置するとき、第２回路基板はコネクタを配置する。
【０００９】
本発明の別の態様において、第１回路基板と、第２回路基板と、第３回路基板とを含む無線送信装置を提供する。第１回路基板は、１つ以上の電子素子を少なくとも備える。第２回路基板は、第１回路基板に対して所定角度で配置される。第２回路基板は、その上に形成された１つのアンテナを少なくとも有し、アンテナは、第１回路基板と電気的に接続される。第３回路基板は、少なくともコネクタを備える。
【００１０】
本発明の別の態様において、第１回路基板を含む無線送信装置を提供する。第１回路基板は、相互に所定角度で配置された第１領域及び第２領域を有する。第１領域は、１つ以上の電子素子を少なくとも備える。第２領域は、１つのアンテナを少なくとも有する。
【図面の簡単な説明】
【００１１】
【図１】直接結合ＵＳＢコネクタを備える従来的な無線送信装置を概略的に示す等角図である。
【図２】本発明に係る第１実施形態を概略的に示す上面図である。
【図３】本発明に係る第１実施形態を概略的に示す側面図である。
【図４】本発明に係る第２実施形態を概略的に示す等角図である。
【図５】本発明に係る第３実施形態を概略的に示す等角図である。
【図６】本発明に係る第４実施形態を概略的に示す等角図である。
【図７】本発明に係る第５実施形態を概略的に示す等角図である。
【図８】本発明に係る第６実施形態を概略的に示す等角図である。
【図９】本発明に係る第７実施形態を概略的に示す等角図である。
【図１０】本発明に係る第８実施形態を概略的に示す等角図である。
【発明を実施するための形態】
【００１２】
本発明の目的、特徴、効果を当業者に理解させるために、以下の実施形態及び添付の図面を参照することによって、本発明を詳細に説明する。
【００１３】
図２は、本発明に係る第１実施形態を概略的に示す上面図であり、図３は、本発明に係る第１実施形態を概略的に示す側面図である。
本発明に係る第１実施形態は、傾斜した内蔵式アンテナを備える無線送信装置２０であり、第１回路基板２０１と、第２回路基板２０３と、１つ以上の電子素子２０２と、コネクタ２０５と、アンテナ２０４とを含む。
第２回路基板２０３は、第１回路基板２０１と接続され、第２回路基板２０３は、所定角度で第１回路基板２０１に接続されている。電子素子２０２及びコネクタ２０５は、第１回路基板２０１上に設けられ、電子素子２０２は、例えば、抵抗器、キャパシタ、ミクロ制御チップ、無線受信モジュール等から成る。アンテナ２０４は、第２回路基板２０３上に設けられている。第２回路基板２０３上の銅箔を直接的にエッチング処理することによってアンテナ２０４を実装し得る。コネクタ２０５は、例えば、ユニバーサル・シリアル・バス（ＵＳＢ）コネクタであり得るし、例えば、パーソナル・システム／２（ＰＳ／２）コネクタ、ＩＲコネクタ、又は、他のインターフェースのためのコネクタでもあり得る。
【００１４】
第２回路基板２０３と第１回路基板２０１との接続のために採用される手段は、銅芯導線のような電線（ケーブル）２１１を使用し得る。銅芯導線２１１の２つの両端部は、それぞれ第２回路基板２０３及び第１回路基板２０１にはんだ付けされている。電子素子２０２は、銅芯導線２１１の導電性によって、アンテナ２０４と電気的に接続される。一方、第２回路基板２０３が所定角度で第１回路基板２０１に接続されるよう、銅芯導線２１１は屈曲される。
【００１５】
アンテナ２０４が位置する第２回路基板２０３の平面は、第１回路基板２０１の平面と異なり、図３を参照すれば、それは第１回路基板２０１に対して角度θにあるアンテナ２０４の平面をもたらす。２つの平面が同一レベルに配置される従来的な方法である、図１におけるアンテナ１０４の平面及び電子素子１０２が構成されるプリント回路基板１０１の平面と比較すると、本発明が受信効果を増強するのを促進するために、本発明のアンテナ２０４は、角度θで傾斜されている。
【００１６】
本発明に係る傾斜した内蔵式アンテナを備える無線送信装置２０の構造を、無線マウス用の無線受信器として実施し得る。
傾斜した内蔵式アンテナ２０４は、２０度の角度θに配置され、受信能力に関する試験を行うために木製テーブル上に配置された。無線マウスは操作されて信号を発信し、その場合には、無線受信器２０の受信能力は、８０ｃｍの半径を備える範囲内にあった。比較すると、傾斜した内蔵式アンテナ２０４が０度の角度θに他の方法で配置された場合、無線受信器２０の受信能力は、７０ｃｍのみの半径を備える範囲内にあった。
さらに、傾斜された内蔵式アンテナ２０４は２０度の角度θに配置され、受信能力に関する試験を行うために、金属製テーブル上に配置された。無線マウスが操作されて信号を発信し、その場合には、無線受信器２０の受信能力は、６５ｃｍの半径を備える範囲内にあった。比較すると、傾斜した内蔵式アンテナ２０４が０度の角度θに他の方法で配置された場合、無線受信器２０の受信能力は、２５ｃｍだけの半径を備える範囲内にあった。金属製テーブルは、電波を受信するときに多少の干渉を招くが、本発明は、干渉問題を克服し得る。従って、本発明が受信効果を増強するのを促進するよう、本発明に係るアンテナ２０４は０度よりも大きい角度に配置される。
【００１７】
図４は、本発明に係る無線送信装置の第２実施形態の等角図を示している。本発明に係る無線送信装置の第２実施形態は、傾斜した内蔵式アンテナを備える無線送信装置２０であり、第１回路基板２０１及び第２回路基板２０３を収容し且つ受容するための筐体２０９をさらに含み得る。ＵＳＢコネクタがコネクタ２０５であるよう採用されるとき、ＵＳＢコネクタ２０５の一部を筐体２０９の外部に露出し得る。
【００１８】
電子素子２０２及びコネクタ２０５を第１回路基板２０１上にはんだ付けし得る。電子素子の種類は、無線送信装置２０の具現化される実施形態で異なり得る。無線送信装置２０の実施形態は、無線マウス用の無線受信器、無線キーボード用の無線受信器、無線キーボード及びマウスセット用の無線受信器、無線送信機、無線送信機、無線受信器、又は、無線送受信機であり得る。
【００１９】
銅芯導線２１１は、第２回路基板２０３と第１回路基板２０１との間の接続手段であるよう採用され、それは本発明を開示し且つ本発明を容易に理解させるものである。本発明は、この種類の接続手段に制限されず、如何なる変形も類似手段の範囲内にある。
【００２０】
本発明によれば、アンテナは第２回路基板上に構成され、受信効果を増強するのを促進するために、第２回路基板はある角度で第１回路基板に接続されている。
【００２１】
図５は、本発明に係る無線送信装置の第３実施形態の等角図を示している。
本発明に係る無線送信装置の第３実施形態は、ＵＳＢコネクタと直接的に接続し得る無線送信装置２０である。無線送信装置２０は、少なくとも、第１回路基板２０１と、第２回路基板２０３と、コネクタ２０５と、アンテナ２０４とを含む。第２回路基板２０３は、第１回路基板２０１と接続される。
本発明において採用される接続手段は、例えば、第２回路基板２０３を第１回路基板２０１上に直接的にはんだ付けするはんだ付け手段である。本実施形態におけるコネクタ２０５は、例えば、ＵＳＢコネクタであり得る。ＵＳＢコネクタ２０５は、第２回路基板２０３上に直接的にはんだ付けされている。アンテナ２０４は、第１回路基板２０１上に直接的に形成されている。
【００２２】
図６は、本発明に係る無線送信装置の第４実施形態の等角図を示している。
本発明に係る無線送信装置の第４実施形態は、ＵＳＢコネクタと直接的に接続し得る無線送信装置２０である。無線送信装置２０は、少なくとも、第１回路基板２０１と、第２回路基板２０３と、コネクタ２０５と、アンテナ２０４とを含む。第２回路基板２０３は、第１回路基板２０１と接続される。
本発明において採用される接続手段は、例えば、第２回路基板２０３を第１回路基板２０１上に直接的にはんだ付けするはんだ付け手段である。アンテナ２０４は、第２回路基板２０３上に直接的に形成され、ＵＳＢコネクタ２０５は第１回路基板２０１上に直接的にはんだ付けされている。
【００２３】
図７は、本発明に係る無線送信装置の第５実施形態の等角図を示している。
本発明に係る無線送信装置の第５実施形態は、ＵＳＢコネクタと直接的に接続し得る無線送信装置２０である。無線送信装置２０は、少なくとも、第１回路基板２０１と、第２回路基板２０３と、コネクタ２０５と、アンテナ２０４とを含む。第２回路基板２０３は、第１回路基板２０１と別個に配置され、第２回路基板２０３は、電線２１１を用いることによって、第１回路基板２０１に電気的に接続されている。アンテナ２０４は、第２回路基板２０３上に直接的に形成され、ＵＳＢコネクタ２０５は、第１回路基板２０１上に直接的にはんだ付けされている。
【００２４】
図８は、本発明に係る無線送信装置の第６実施形態の等角図を示している。
本発明に係る無線送信装置の第６実施形態は、傾斜した内蔵式アンテナを備え、且つ、ＵＳＢコネクタによる直接的な接続性を備える無線送信装置２０である。無線送信装置２０は、少なくとも、第１回路基板２０１と、第２回路基板２０３と、第３回路基板２０７と、コネクタ２０５と、アンテナ２０４とを含む。第２回路基板２０３は、第１回路基板２０１と接続され、第２回路基板２０３は、所定角度で第１回路基板２０１に接続されている。第３回路基板２０７は、第１回路基板２０１と接続されている。
本発明において採用される接続手段は、例えば、第３回路基板２０７を第１回路基板２０１上に直接的にはんだ付けするためのはんだ付け手段である。本実施形態において、コネクタ２０５は、例えば、ＵＳＢコネクタであり得る。ＵＳＢコネクタ２０５は、第３回路基板２０７上に直接的にはんだ付けされている。アンテナ２０４は、第１回路基板２０１上に直接的に形成されている。
【００２５】
図９は、本発明に係る無線送信装置の第７実施形態の等角図を示している。
本発明に係る無線送信装置の第７実施形態は、傾斜した内蔵式アンテナを備え、且つ、ＵＳＢコネクタによる直接的な接続性を備える無線送信装置２０である。無線送信装置２０は、少なくとも、第１回路基板２０１と、コネクタ２０５と、アンテナ２０４とを含む。第１回路基板２０１は、可撓な回路基板であって、一方の部分は水平面であり、他方の部分は水平面の部分に対して所定角度にある傾斜平面であり得る。本実施形態におけるコネクタ２０５は、例えば、ＵＳＢコネクタであり得る。ＵＳＢコネクタ２０５は、第１回路基板２０１上に構成されている。アンテナ２０４は、第１回路基板２０１の傾斜面の部分の上に形成されている。
【００２６】
図１０は、本発明に係る無線送信装置の第８実施形態の等角図を示している。
本発明に係る無線送信装置の第８実施形態は、傾斜した内蔵式アンテナを備え、且つ、ＵＳＢコネクタによる直接的な接続性を備える無線送信装置２０である。無線送信装置２０は、少なくとも、第１回路基板２０１と、第２回路基板２０３と、コネクタ２０５と、アンテナ２０４とを含む。第１回路基板２０１は、可撓な回路基板であって、一方の部分は水平面であり、他方の部分は水平面の部分に対して所定角度にある傾斜平面であり得る。第２回路基板２０３は、第１回路基板２０１の水平面の部分と接続されている。
本発明において採用される接続手段は、例えば、第２回路基板２０３を第１回路基板２０１の水平面の部分の上に直接的にはんだ付けするためのはんだ付け手段である。本発明におけるコネクタ２０５は、例えば、ＵＳＢコネクタであり得る。ＵＳＢコネクタ２０５は、第２回路基板２０３上に直接的にはんだ付けされ得る。アンテナ２０４は、第１回路基板２０１の傾斜面の部分の上に直接的に形成されている。
【００２７】
加えて、本発明の第３乃至第８実施形態において、ＵＳＢコネクタと直接的に接続し得る無線送信装置２０は、第１回路基板２０１と、第２回路基板２０３と、第３回路基板と、コネクタ２０５を収容し且つ受容するための筐体２０９とをさらに含む。ＵＳＢコネクタがコネクタ２０５として採用されるとき、ＵＳＢコネクタのある部分を筐体２０９の外側に露出し得る。
【００２８】
加えて、第３乃至第８実施形態において、幾つかの電子素子２０２を配置するために、第１回路基板２０１を使用し得る。電子素子２０２は、例えば、抵抗器、キャパシタ、ミクロ制御チップ、無線受信モジュール等から成る。第１回路基板２０１上にはんだ付けされる電子素子の種類は、無線送信装置２０の具現化される実施形態で異なり得る。無線送信装置２０の実施形態は、無線マウス用の無線受信器、無線キーボード用の無線受信器、無線キーボード及びマウスセット用の無線受信器、無線送信機、無線受信器、又は、無線送受信機であり得る。
【００２９】
本発明によれば、図５、６、及び、１０中に示されるような第２回路基板２０３及び第１回路基板２０１の平行接続手段と、図８に示されるような第３回路基板２０７及び第１回路基板２０１の平行接続手段とは、本発明を開示し且つ本発明を容易に理解させるものである。本発明は、図面に示されるような平行型の接続手段に制限されない。例えば、第２回路基板２０３又は第３回路基板２０７を、水平方向又は垂直方向のいずれかに形成された所定角度で第１回路基板２０１に接続し得る。変形は均等手段の範囲内である。
【００３０】
本発明によれば、第１回路基板２０１と接続され且つコネクタ２０５が配置される第２回路基板２０３又は第３回路基板２０７を作成することは、従来の無線送信装置１０で用いられる手段と完全に異なる。筐体２０９の外観の形態の変化を用いて、本発明は、筐体２０９の明確な統合性を満足するために、ＵＳＢコネクタのようなコネクタ２０５を筐体２０９の適切な位置に容易に配置し得る。これは本発明の改良された効果及び利点の１つである。
【００３１】
本発明は実施形態を通じて上記のように開示されたが、開示された実施形態は本発明を制限するものではない。如何なる当業者も、本発明の思想及び範囲から逸脱せずに、多様な変更及び修正を行い得る。行われる変更及び修正は、本発明の範囲内にある。本発明の保護範囲は、特許請求の範囲によって決定される。
【符号の説明】
【００３２】
１０  無線送信装置
２０  無線送信装置
１０１  プリント回路基板
１０２  電子素子
１０４  アンテナ
１０５  ＵＳＢコネクタ
１０９  筐体
２０１  第１回路基板
２０２  電子素子
２０３  第２回路基板
２０４  アンテナ
２０５  コンテナ
２０７  第３回路基板
２０９  筐体
２１１  電線
【図１】
2010193523.tif 000003
【図２】
2010193523.tif 000004
【図３】
2010193523.tif 000005
【図４】
2010193523.tif 000006
【図５】
2010193523.tif 000007
【図６】
2010193523.tif 000008
【図７】
2010193523.tif 000009
【図８】
2010193523.tif 000010
【図９】
2010193523.tif 000011
【図１０】
2010193523.tif 000012